(57)【要約】【課題】瓦固定金具を用いて重ね葺いた平板瓦について、重ね代を少なくしながらも防水性の向上を図ることのできる、新しい平板瓦の重ね葺き構造を提供する。【解決手段】下段の平板瓦（１）の後端部を瓦固定金具（３）とともに屋根下地材にビス止め固定し、瓦固定金具（３）に上段の平板瓦（１）の先端部を差し込んで保持するようにした平板瓦の重ね葺き構造であって、平板瓦（１）はその後端部に沿って横方向に連続する防水リブ部（１１）を有し、瓦固定金具（３）は平板瓦（１）の防水リブ部（１１）に引っ掛けられるリブ引掛け部（３３）を有し、ビス止め固定の際に防水リブ部（１１）に対してリブ引掛け部（３３）を引っ掛ける。【選択図】　図１
2004052424.tif 000002
【特許請求の範囲】
【請求項１】
下段の平板瓦の後端部を瓦固定金具とともに屋根下地材にビス止め固定し、瓦固定金具に上段の平板瓦の先端部を差し込んで保持するようにした平板瓦の重ね葺き構造であって、
平板瓦はその後端部に沿って横方向に連続する防水リブ部を有し、
瓦固定金具は平板瓦の防水リブ部に引っ掛けられるリブ引掛け部を有し、
ビス止め固定の際に防水リブ部に対してリブ引掛け部を引っ掛けることを特徴とする平板瓦の重ね葺き構造。
【請求項２】
平板瓦の防水リブ部において、瓦固定金具のリブ引掛け部を引っ掛ける部位の高さを低くして、リブ引掛け部が当該部位に引っ掛けられた際に防水リブ部の高さと略同一となるようになっている請求項１記載の平板瓦の重ね葺き構造。
【請求項３】
瓦固定金具が、その先端部に雪止め部を有している請求項１または２記載の平板瓦の重ね葺き構造。
【発明の詳細な説明】
【０００１】
【発明の属する技術分野】
この出願の発明は、平板瓦の重ね葺き構造に関するものである。さらに詳しくは、この出願の発明は、瓦固定金具を用いた樹脂製等の平板瓦の重ね葺きに有用な、上下段瓦間の重ね代を少なくしながらも防水性の向上を図ることのできる、新しい平板瓦の重ね葺き構造に関するものである。
【０００２】
【従来の技術】
近年、軽量素材からなる平板瓦が屋根葺きにしばしば使われており、特に増改築においては軽量な樹脂製平板瓦がその取扱いの容易さ等から多用されてきている。
【０００３】
このような平板瓦は、たとえば図１１に例示したように、軒先側から順に重ね葺き施工されるが、まず下段の平板瓦（１）をその後端部（つまり棟側の端部）において桟木（２）等の屋根下地材にビス止めする。このとき、上段の平板瓦（１）の先端部（つまり軒側の端部）を固定するための瓦固定金具（３）をビス止めと同時に取り付ける構造が採用されることがある。
【０００４】
具体的には、たとえば図１２に例示したように、瓦固定金具（３）は、その平板先端に棟方向へ折れ曲がった瓦差込み部（３１）を有し、後端にはビス用開口部（３２）を有しており、下段の平板瓦（１）をビス止めする際にビスを瓦固定金具（３）のビス用開口部（３２）を通して桟木（２）や野地板等の屋根下地材にねじ込むことで、下段の平板瓦（１）の後端部を屋根下地材上に固定するとともに瓦固定金具（３）をもその平板瓦（１）の後端部上に固定する。そして、上段の平板瓦（１）を、その先端部を下段の平板瓦（１）上の瓦固定金具（３）の瓦差込み部（３１）に差し込むように載置し、後は同様に後端部を瓦固定金具（３）とともにビス止めする。
【０００５】
このような瓦固定金具（３）の存在により、平板瓦（１）の後端部はビス止めにより強固に固定され、先端部は瓦固定金具（３）の瓦差込み部（３１）によりしっかりと保持されることになる。この構造は、特に樹脂製等の軽量な平板瓦（１）の重ね葺きに有用であり、瓦固定金具（３）による瓦先端部の保持固定によって、強風時に瓦先端部が浮いてバタツキが生ずるのを効果的に防止することができる。
【０００６】
【発明が解決しようとする課題】
しかしながら、上記のとおりに優れた瓦固定金具（３）を用いた平板瓦（１）の重ね葺き構造にあっても、実用上以下のような改良すべき点があった。
【０００７】
すなわち、瓦固定金具（３）により各段の固定は確実なものとなっていても、上段の平板瓦（１）と下段の平板瓦（１）との間から雨水が浸入する可能性があるため、防水効果を高めるべく、上段の平板瓦（１）と下段の平板瓦（１）との重ね代を多くとる必要があったのである。これでは、屋根面積に対する瓦の必要枚数が増え、経済的にも好ましくない。
【０００８】
そこで、この出願の発明は、以上のとおりの事情に鑑み、瓦固定金具（３）を用いて重ね葺いた平板瓦（１）について、重ね代を少なくしながらも防水性の向上を図ることのできる、新しい平板瓦の重ね葺き構造を提供することを課題としている。
【０００９】
【課題を解決するための手段】
この出願の発明は、上記の課題を解決するものとして、第１には、下段の平板瓦の後端部を瓦固定金具とともに屋根下地材にビス止め固定し、瓦固定金具に上段の平板瓦の先端部を差し込んで保持するようにした平板瓦の重ね葺き構造であって、平板瓦はその後端部に沿って横方向に連続する防水リブ部を有し、瓦固定金具は平板瓦の防水リブ部に引っ掛けられるリブ引掛け部を有し、ビス止め固定の際に防水リブ部に対してリブ引掛け部を引っ掛けることを特徴とする平板瓦の重ね葺き構造を提供する。
【００１０】
また、この出願の発明は、第２には、平板瓦の防水リブ部において、瓦固定金具のリブ引掛け部を引っ掛ける部位の高さを低くして、リブ引掛け部が当該部位に引っ掛けられた際に防水リブ部の高さと略同一となるようになっている平板瓦の重ね葺き構造、第３には、瓦固定金具がその先端部に雪止め部を有しているものである平板瓦の重ね葺き構造を提供する。
【００１１】
【発明の実施の形態】
この出願の発明は、上記のとおりの特徴を有するものであるが、以下に図面に沿ってその実施の形態についてさらに詳しく説明する。
【００１２】
前述の図１１および図１２に例示したように下段の平板瓦（１）の後端部を瓦固定金具（３）とともに桟木（２）や野地板等の屋根下地材にビス止め固定し、瓦固定金具（３）の瓦差込み部（３１）に上段の平板瓦（１）の先端部を差し込んで保持するようにして平板瓦（１）を重ね葺く構造において、たとえば図１〜図３に例示したように、平板瓦（１）を、その後端部に沿って左右横方向に連続して延びる、瓦表面からある程度の高さを持つ防水リブ部（１１）を有するものとし、また瓦固定金具（３）を、平板瓦（１）の防水リブ部（１１）に引っ掛けられるリブ引掛け部（３３）を瓦差込み部（３１）（先端位置）とビス用開口部（３２）（後端位置）との間の所定位置に有するものとする。
【００１３】
そして、ビス止め固定の際に、平板瓦（１）の防水リブ部（１１）に対してリブ引掛け部（３３）を引っ掛けるようにして平板瓦（１）の後端部に取り付け、桟木（２）等の屋根下地材にビス（４）により固定する。
【００１４】
これにより、瓦固定金具（３）による瓦固定効果はそのままに、上段の平板瓦（１）と下段の平板瓦（１）との重ね代を従来より少なくしても、防水リブ部（１１）の存在によって雨水の屋根下地材側への浸入を効果的に防止できるのである。
【００１５】
なお、瓦固定金具（３）のリブ引掛け部（３３）は、平板瓦（１）の防水リブ部（１１）を乗り越えるようにして引っ掛かる形状であればよいのであるが、たとえば図示したように防水リブ部（１１）に対して上方から差し込まれる凹み形状（リブ側から見て）とすることで、ビス用開口部（３２）にてのビス止め固定だけでなく防水リブ部（１１）にての差込み状態によって、瓦固定金具（３）自体の固定強度をさらにさらに向上させることもできる。
【００１６】
ところで、上記のように瓦固定金具（３）を防水リブ部（１１）に引っ掛けると、図４（ａ）（ｂ）に例示したように、リブ引掛け部（３３）がその厚さ分だけ防水リブ部（１１）よりも高くなるため、その上方に位置する上段の平板瓦（１）の裏面と防水リブ部（１１）との間に隙間が生じ、その隙間から雨水が防水リブ部（１１）を超えて浸入してしまうといった恐れも考えられ得る。
【００１７】
そこで、この出願の発明では、たとえば図５（ａ）（ｂ）（ｃ）および図６（ａ）（ｂ）（ｃ）に例示したように、平板瓦（１）の防水リブ部（１１）において、瓦固定金具（３）のリブ引掛け部（３３）が引っ掛けられる部位の高さを低くして、リブ引掛け部（３３）が当該部位に引っ掛けられた際に防水リブ部（１１）の高さと略同一となるようにすることも一つの好ましい実施形態である。
【００１８】
図５の実施形態では、リブ引掛け部（３３）が引っ掛けられて収まる防水リブ部（１１）の部位が、軒方向に略山型に屈曲し、その中央片（１１１）の高さがリブ引掛け部（３３）の厚さ分だけ低く、且つそれに向かって左右片（１１２）が傾斜した形状となっている。
【００１９】
図６の実施形態では、リブ引掛け部（３３）が引っ掛けられて収まる防水リブ部（１１）の部位が、軒方向に略山型に屈曲し、その中央片（１１１）の高さのみがリブ引掛け部（３３）の厚さ分だけ低く切り欠かれた形状となって、左右片（１１２）は水平のままの形状となっている。
【００２０】
いずれの場合でも、中央片（１１１）の部位に引っ掛けられた瓦固定金具（３）のリブ引掛け部（３３）は、平板瓦（１）の防水リブ部（１１）と略同一高さとなるようになり、これによって、上記のような防水リブ部（１１）と上段の平板瓦（１）の裏面との間に隙間が生じることを抑制でき、防水効果をより高めることができる。
【００２１】
ところで、以上の防水構造は、降雨に対してのみならず、降雪や雪解け水に対しても有効である。ここで、積雪地域においては、雪止め金具を瓦上にしばしば設けているが、この雪止め金具と上記瓦固定金具（３）とを一体にしたものを用いることができれば、防水効果および雪止め効果を同時にかつ容易に実現できるようになる。
【００２２】
そこで、この出願の発明では、たとえば図７〜図１０に例示したように、瓦固定金具（３）自体を、その先端部に雪止め部（３４）を備えたものとすることで、上記実現を図ることができる。
【００２３】
具体的には、瓦固定金具（３）の軒側先端から軒先方向へ伸びた延長板部（３４１）と延長板部（３４１）の軒側先端に立設された雪止め板部（３４２）とを有する雪止め部（３４）を、元の瓦固定部と一体にして設けて雪止め付き瓦固定金具（３００）とし、この雪止め付き瓦固定金具（３００）を、前述と同様にリブ引掛け部（３３）を平板瓦（１）の防水リブ部（１１）に引っ掛けて、ビス用開口部（３２）を介してビス止め固定することで取り付ける。そして、雪止め部（３４）の雪止め板部（３４２）は、図９および図１０に例示したように、平板瓦（１）上にて雪止め効果を実現することになる。
【００２４】
この雪止め付き瓦固定金具（３００）については、ビス用開口部（３２）にてのビス止め固定およびリブ引掛け部（３３）にての防水リブ部（１１）との引掛り状態によって、その取付け固定が強固なものとなっているため、図９に例示したような積雪による軒先方向への引張り力Ｆに対する対抗力が非常に強いものとなる。すなわち、▲１▼防水リブ部（１１）への当たり、▲２▼平板瓦（１）への固定用のビス（４）のせん断抵抗、▲３▼平板瓦（１）本体への当たり、▲４▼屋根下地材への固定用のビス（４）のせん断抵抗、によって引張り力Ｆに対抗でき、従来の雪止め金具よりも格段に優れた雪止め効果を実現できるのである。そして雪止め効果とともに、優れた防水効果をも実現する。
【００２５】
実際の施工では、瓦固定金具（３）および雪止め付き瓦固定金具（３００）をそれぞれ、所望位置に配置すればよい（図１０参照）。
【００２６】
もちろん、この出願の発明は以上の実施形態に限定されるものではなく、細部については様々な態様が可能である。
【００２７】
【発明の効果】
以上詳しく説明したとおり、この出願の発明によって、瓦固定金具を用いて重ね葺いた平板瓦について、重ね代を少なくしながらも防水性を高めることのできる、新しい平板瓦の重ね葺き構造が提供され、瓦固定金具による上下段瓦の固定性向上ならびに上下段瓦間の防水性向上を同時に実現できるようになる。また、瓦固定金具を雪止め金具兼用のものとすることで、優れた防水効果および雪止め効果を同時にかつ容易に実現できるようにもなる。
【図面の簡単な説明】
【図１】この出願の発明の一実施形態を例示した斜視図である。
【図２】（ａ）（ｂ）は、各々、この出願の発明の一実施形態を説明するための図である。
【図３】この出願の発明における瓦固定金具を例示した斜視図である。
【図４】（ａ）（ｂ）は、各々、この出願の発明を説明するための図である。
【図５】（ａ）（ｂ）（ｃ）は、各々、この出願の発明の別の一実施形態を説明するための図である。
【図６】（ａ）（ｂ）（ｃ）は、各々、この出願の発明のさらに別の一実施形態を説明するための図である。
【図７】この出願の発明における雪止め兼用瓦固定金具を例示した斜視図である。
【図８】（ａ）（ｂ）は、各々、雪止め兼用瓦固定金具を例示した平面図および側面図である。
【図９】雪止め兼用瓦固定金具の施工状態を説明するための図である。
【図１０】雪止め兼用瓦固定金具の施工状態を説明するための別の図である。
【図１１】従来の平板瓦の重ね葺き構造を例示した斜視図である。
【図１２】従来の瓦固定金具を例示した斜視図である。
【符号の説明】
１　平板瓦
１１　防水リブ部
１１１　中央片
１１２　左右片
２　桟木
３　瓦固定金具
３１　瓦差込み部
３２　ビス用開口部
３３　リブ引掛け部
３４　雪止め部
３４１　延長板部
３４２　雪止め板部
３００　雪止め付き瓦固定金具
４　ビス
【図１】
2004052424.tif 000003
【図２】
2004052424.tif 000004
【図３】
2004052424.tif 000005
【図４】
2004052424.tif 000006
【図５】
2004052424.tif 000007
【図６】
2004052424.tif 000008
【図７】
2004052424.tif 000009
【図８】
2004052424.tif 000010
【図９】
2004052424.tif 000011
【図１０】
2004052424.tif 000012
【図１１】
2004052424.tif 000013
【図１２】
2004052424.tif 000014